(57)【要約】【課題】  サーバ室内の風速を小さくしつつ、必要風量を確保可能な空調システムの一例を提供する。【解決手段】  機械室ＭＲの天井側に設けられた冷風をサーバ室ＳＲに導くための冷風導入路１３と、吸入口６Ａに対して機械室ＭＲ側に配設され、サーバ室ＳＲから機械室ＭＲに向けて流通する空気を冷却する熱交換器７と、第１軸流ファン９により誘起された第１気流を転向させるとともに、第１気流を冷風導入路１３に案内する第１導風部材１５Ａと、第２軸流ファン１１により誘起された第２気流を転向させながら当該第２気流を冷風導入路１３に案内する第２導風部材１５Ｂとを備え、第２導風部材１５Ｂの入口部側に位置する下端１５Ｄが機械室ＭＲの床面Ｆから１５５ｃｍ以上の位置にある。これにより、天井側全体を冷風導入路１３として利用できるとともに、作業者の作業スペースを確保できる。【選択図】図２
2018128154.tif 000002
【特許請求の範囲】
【請求項１】
情報通信技術用機器が設置されたサーバ室内の空調を行う空調システムにおいて、
空間を水平方向に区画する壁部を介して前記サーバ室と区画された機械室であって、当該壁部に設けられた吸入口を通して前記サーバ室と連通する機械室と、
前記機械室の天井側に設けられた冷風導入路であって、冷風を前記サーバ室に導くための冷風導入路と、
前記吸入口に対して前記機械室側に配設され、前記サーバ室から前記機械室に向けて流通する空気を冷却する熱交換器と、
前記サーバ室内の空気を吸引して前記冷風導入路に向けて流れる気流を発生させる第１軸流ファンであって、前記熱交換器の上方側を通過する第１気流を発生させる第１軸流ファンと、
前記サーバ室内の空気を吸引して前記冷風導入路に向けて流れる気流を発生させる第２軸流ファンであって、前記熱交換器のうち前記第１気流が通過する部位より下方側を通過する第２気流を発生させる第２軸流ファンと、
前記第１気流を転向させるとともに、前記第１気流を前記冷風導入路に案内する第１導風部材と、
前記第２気流を転向させながら当該第２気流を前記冷風導入路に案内する第２導風部材であって、前記第２気流の入口部側に位置する下端が前記機械室の床面から１５５ｃｍ以上の位置にある第２導風部材と
を備える空調システム。
【請求項２】
前記第１導風部材は、転向中の前記第１気流と転向中の前記第２気流とを分離した状態で当該第１気流を転向させるように前記熱交換器から前記冷風導入路に至る領域を仕切る請求項１に記載の空調システム。
【請求項３】
前記第１軸流ファン及び前記第２軸流ファンは、前記熱交換器の下流側に配設されており、
前記熱交換器のうち前記第１気流が通過する部位を第１コア部とし、前記熱交換器のうち前記第２気流が通過する部位を第２コア部とし、前記第１軸流ファンの回転中心軸線と一致する仮想線を第１軸線としたとき、
前記第１軸線は前記第１コア部を貫通する請求項２に記載の空調システム。
【請求項４】
前記第２軸流ファンの回転中心軸線と一致する仮想線を第２軸線としたとき、
前記第２軸線は前記第２コア部を貫通する請求項３に記載の空調システム。
【請求項５】
前記第２コア部は、鉛直面に対して傾いている請求項３又は４に記載の空調システム。
【請求項６】
前記第２軸流ファンは、前記熱交換器の下流側において前記第２導風部材の下端より前記熱交換器に近い位置に配設されており、
前記第２軸流ファンから吐出する気流を前記第２導風部材側に転向させる転向ガイドを備える請求項１ないし５のいずれか１項に記載の空調システム。
【発明の詳細な説明】
【技術分野】
【０００１】
本発明は、情報通信技術用機器が設置されたサーバ室内の空調を行う空調システムに関する。
【背景技術】
【０００２】
例えば、特許文献１に記載の空調システムは、サーバ室の天井から室内の空気を吸引し、その吸引した空気を冷却した後、当該空気を壁から吹き出してサーバ室内に供給している。サーバ室内には、複数の情報通信技術用機器（以下、ＩＣＴ機器という。）が搭載された棚状のラックが設置されている。
【先行技術文献】
【特許文献】
【０００３】
【特許文献１】特許第５２６３８４０号明細書
【発明の概要】
【発明が解決しようとする課題】
【０００４】
特許文献１に記載の空調システムでは、壁から吹き出された冷風は、各ＩＣＴ機器から熱を奪った後、天井から吸引されて空調機に戻る。空調機に戻った空気は、空調機にて冷却された後、再び、壁からサーバ室内に吹き出される。
【０００５】
サーバ室には、複数のＩＣＴ機器に設置されているため、それらＩＣＴ機器を冷却するに十分な風量（以下、必要風量という。）の冷風をサーバ室内に供給する必要がある。
したがって、壁からサーバ室内に向けて吹き出される冷風の風速は、必要風量を確保可能な風速であって、壁から吹き出された後、天井を経由して空調機に戻るための機外静圧を確保可能な風速とする必要である。
【０００６】
このため、特許文献１に記載の空調システムでは、ＩＣＴ機器に冷風を供給するコールドアイル等の供給経路の通路断面積が小さいため、壁から吹き出す冷風の風速が大きくならざるを得ない。壁から吹き出す冷風の風速が大きくなると、メンテナンス作業時の作業性が低下するおそれが高い。
【０００７】
つまり、メンテナンス作業時には、作業シート等に記載された作業項目や検査項目等を作業員が確認しながらメンテナンス作業を行う。このとき、風速が大きい場合には、上記作業シートがばたつくとともに、大きな騒音が発生し易いので、作業性が低下するおそれが高い。
【０００８】
本願は、上記点に鑑み、サーバ室内の風速を小さくしつつ、必要風量を確保可能な空調システムの一例を提供する。
【課題を解決するための手段】
【０００９】
本願では、空間を水平方向に区画する壁部（６）を介してサーバ室（ＳＲ）と区画された機械室（ＭＲ）であって、当該壁部（６）に設けられた吸入口（６Ａ）を通してサーバ室（ＳＲ）と連通する機械室（ＭＲ）と、機械室（ＭＲ）の天井側に設けられた冷風導入路（１３）であって、冷風をサーバ室（ＳＲ）に導くための冷風導入路（１３）と、吸入口（６Ａ）に対して機械室（ＭＲ）側に配設され、サーバ室（ＳＲ）から機械室（ＭＲ）に向けて流通する空気を冷却する熱交換器（７）と、サーバ室（ＳＲ）内の空気を吸引して冷風導入路（１３）に向けて流れる気流を発生させる第１軸流ファン（９）であって、熱交換器（７）の上方側を通過する第１気流を発生させる第１軸流ファン（９）と、サーバ室（ＳＲ）内の空気を吸引して冷風導入路（１３）に向けて流れる気流を発生させる第２軸流ファン（１１）であって、熱交換器（７）のうち第１気流が通過する部位より下方側を通過する第２気流を発生させる第２軸流ファン（１１）と、第１気流を転向させるとともに、第１気流を冷風導入路（１３）に案内する第１導風部材（１５Ａ）と、第２気流を転向させながら当該第２気流を冷風導入路（１３）に案内する第２導風部材（１５Ｂ）であって、第２気流の入口部側に位置する下端が機械室（ＭＲ）の床面（Ｆ）から１５５ｃｍ以上の位置にある第２導風部材（１５Ｂ）とを備える。
【００１０】
これにより、天井側全体を冷風導入路（１３）として利用可能であるため、特許文献１に記載の「壁吹出方式の空調システム」における冷却風通路の通路断面積に比べて、大きな通路断面積を確保することが可能となる。したがって、風速を大きくすることなく必要風量を確保可能となるとともに、サーバ室（ＳＲ）内での風速を「壁吹出方式の空調システム」に比べて小さくでき得る。
【００１１】
さらに、第２気流の入口部側に位置する下端が機械室（ＭＲ）の床面（Ｆ）から１５５ｃｍ以上の位置にあるので、メンテナンス作業時に作業員の頭部等が第２導風部材（１５Ｂ）に当たってしまう等の不都合の発生を抑制できる。
【００１２】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【００１３】
【図１】本発明の実施形態におけるサーバ室ＳＲ及び機械室ＭＲの平面図である。
【図２】本発明の第１実施形態におけるサーバ室ＳＲ及び機械室ＭＲの立面図である。
【図３】本発明の第２実施形態におけるサーバ室ＳＲ及び機械室ＭＲの立面図である。
【図４】本発明の第２実施形態におけるサーバ室ＳＲ及び機械室ＭＲの立面図である。
【発明を実施するための形態】
【００１４】
以下に説明する「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１５】
以下、本発明の実施形態を図面と共に説明する。なお、各図に付された方向を示す矢印等は、各図相互の関係を理解し易くするために記載したものである。本発明は、各図に付された方向に限定されるものではない。
【００１６】
少なくとも符号を付して説明した部材又は部位は、「１つの」等の断りをした場合を除き、少なくとも１つ設けられている。つまり、「１つの」等の断り等がない場合には当該部材が２以上設けられていてもよい。
【００１７】
（第１実施形態）
本実施形態は、データセンター用の空調システムに本発明を適用したものである。データセンターには、複数の情報通信技術用機器（以下、ＩＣＴ機器と記す。）が設置されたサーバ室が設けられている。本実施形態に係る空調システムは、当該サーバ室内の空調を行う。
【００１８】
１．空調システムの概略構成
１台又は複数のＩＣＴ機器（図示せず。）は、図１に示すラック３に搭載された状態でサーバ室ＳＲに設置されている。当該サーバ室ＳＲには、複数のラック３が列状に並んで設置されている。以下、列状に並んだ複数のラック３をラック列Ｒともいう。
【００１９】
ラック列Ｒを挟んで一方には、各ＩＣＴ機器を冷却するための冷風が供給される冷却風通路（コールドアイル）３Ａが設けられている。冷風は、サーバ室ＳＲの天井側に設けられた冷風導入路１３（図２参照）を経由して冷却風通路３Ａに供給される。
【００２０】
このため、少なくとも冷却風通路３Ａの天井側（冷風導入路１３側）には、図２に示すように、冷風が吹き出す冷風吹出口１３Ａが設けられている。なお、冷却風通路３Ａのうちラック列Ｒの延び方向両端側は閉塞部材３Ｃ閉塞されている。
【００２１】
各ラック列Ｒの天井側には、冷却風通路３Ａと通路３Ｂ（図１参照）とを仕切る仕切部材（図示せず。）が設けられている。このため、図１に示すように、冷風導入路１３から冷却風通路３Ａに供給された冷風は、各ラック列Ｒを通過して、当該冷却風通路３Ａと反対側の通路３Ｂに流通する。
【００２２】
通路３Ｂには、冷風吹出口が設けられていない。このため、当該通路３Ｂには、ＩＣＴ機器との熱交換を終えて温度が上昇した空気が流通する。つまり、通路３Ｂは、加熱された空気（温風）が流通する温風通路（ホットアイル）となる。
【００２３】
サーバ室ＳＲに冷風を供給する空調機５は、機械室ＭＲに設置されている。機械室ＭＲはサーバ室ＳＲに隣接して設けられている。当該機械室ＭＲは、空間を水平方向に区画する壁部６を介してサーバ室ＳＲと区画されている。
【００２４】
壁部６には吸入口６Ａが設けられている。吸入口６Ａは、サーバ室ＳＲと機械室ＭＲとを連通させる連通口であって、ラック列Ｒの延び方向一端側に設けられている。冷却風通路３Ａの延び方向両端側等は閉塞されている。このため、吸入口６Ａには、サーバ室ＳＲのうち温風通路（ホットアイル）３Ｂと連通している。
【００２５】
本実施形態に係る吸入口６Ａは、壁部６のほぼ全域、つまり壁部６の水平方向略全域及び上下方向略全域で開口している。当該吸入口６Ａのサーバ室ＳＲ側には、帯板状に形成された複数の羽板（図示せず。）にて構成された鎧窓状のルーバが設けられている。
【００２６】
なお、図１では、１台の空調機５が機械室ＭＲに設置されている。しかし、本実施形態は、これに限定されるものではなく、空調機５の台数は、サーバ室ＳＲにおいて必要とされる空調能力に応じて決定される値である。
【００２７】
空調機５は、吸入口６Ａから所定寸法以上離間した位置に設置されている。当該所定寸法は、例えば、空調システムのメンテナンスを行う作業者が作業可能な程度の空間を確保可能な寸法である。
【００２８】
２．空調機及び冷風導入路等の構成
空調機５は、図２に示すように、少なくとも熱交換器７及び送風機８等を有している。本実施形態に係る空調機５では、熱交換器７及び送風機８は、ケース５Ａ内に収納され、エアーハンドリングユニットを構成している。
【００２９】
熱交換器７は、吸入口６Ａに対して機械室ＭＲ側に配設され、サーバ室ＳＲから機械室ＭＲに向けて流通する空気を冷却する。本実施形態に係る熱交換器７は、冷水が循環するチューブ（図示せず。）等を有するコア部を備える。
【００３０】
そして、当該コア部を空気が通過する際に冷水と当該空気とが熱交換されて当該空気が冷却される。つまり、コア部とは、冷水と空気とを熱交換させるための部位である。なお、冷水は、蒸気圧縮式冷凍機等のチラーユニットにて生成される。
【００３１】
熱交換器７は、送風機８の吸入側、つまり送風機８より空気流れ上流側に配設されている。送風機８は、サーバ室ＳＲ内の空気を吸引して冷風導入路１３に向けて空気を吹き出す。冷風導入路１３は、熱交換器７にて冷却された空気、つまり冷風をサーバ室ＳＲに導くための空気通路である。
【００３２】
本実施形態に係る冷風導入路１３は、機械室ＭＲの天井側とサーバ室ＳＲの天井側とを連通させる。当該冷風導入路１３は、サーバ室ＳＲの天井全体に拡がる空間状の空気通路である。そして、冷風導入路１３のうち冷却風通路（コールドアイル）３Ａに対応する部位には、冷風吹出口１３Ａが設けられている。
【００３３】
本実施形態に係る送風機８は、第１軸流ファン９及び第２軸流ファン１１により構成されている。第１軸流ファン９及び第２軸流ファン１１は、空気が羽根車を軸線方向に通り抜ける軸流送風機（ＪＩＳ  Ｂ  ０１３２  １０１０）にて構成されている。
【００３４】
第１軸流ファン９の軸線方向Ｌ１と第２軸流ファン１１の軸線方向Ｌ２とは互いに平行である。そして、第１軸流ファン９及び第２軸流ファン１１の軸線方向Ｌ１、Ｌ２は、サーバ室ＳＲから機械室ＭＲに向かう水平方向と平行である。第１軸流ファン９と第２軸流ファン１１とは同一の送風機である。以下、第１軸流ファン９及び第２軸流ファン１１を総称する際には送風機８と記す。
【００３５】
第１軸流ファン９と第２軸流ファン１１とは上下方向にずれた位置に配設されている。具体的には、コア部の上下方向中央を通る水平方向の仮想線（図示せず。）より上方側に第１軸流ファン９が配設され、当該仮想線より下方側に第２軸流ファン１１が配設されている。
【００３６】
つまり、第１軸流ファン９は第１コア部７Ａの空気流れ下流に配設され、第２軸流ファン１１は第２コア部７Ｂの空気流れ下流に配設されている。第１コア部７Ａとは、コア部のうち上記仮想線を上方側の部位をいう。第２コア部７Ｂとは、コア部のうち第１コア部７Ａより下方側の部位をいう。
【００３７】
そして、第１軸線Ｌ１は第１コア部７Ａを貫通する。第２軸線Ｌ２は第２コア部７Ｂを貫通する。第１軸線Ｌ１は、第１軸流ファン９の軸線方向、つまり第１軸流ファン９の回転中心軸線と一致する仮想線である。第２軸線Ｌ２は、第２軸流ファン１１の軸線方向、つまり第２軸流ファン１１の回転中心軸線と一致する仮想線である。
【００３８】
本実施形態では、第１軸線Ｌ１は第１コア部７Ａに対して略直交している。このため、第１コア部７Ａを通過する空気の主流（以下、第１気流）は、第１軸流ファン９を第１軸線Ｌ１と略平行な方向に通り抜けて冷風導入路１３側に流通する。
【００３９】
第２軸線Ｌ２は第２コア部７Ｂに対して略直交している。第２コア部７Ｂを通過する空気の主流（以下、第２気流）は、第２軸流ファン１１を第２軸線Ｌ２と略平行な方向に通り抜けて冷風導入路１３側に流通する。
【００４０】
なお、「第１軸線Ｌ１が第１コア部７Ａに対して直交している状態」とは、第１軸線Ｌ１と直交する仮想平面に第１コア部７Ａが投影された場合において、当該仮想平面に投影された第１コア部７Ａの面積が最も大きくなる状態をいう。「第２軸線Ｌ２が第２コア部７Ｂに対して直交している状態」も同様である。
【００４１】
「第１コア部７Ａを通過する空気の主流」とは、「第１軸線Ｌ１が第１コア部７Ａに対して直交している状態」における当該第１軸線Ｌ１と略平行な方向に流通する気流をいう。同様に、「第２コア部７Ｂを通過する空気の主流」とは、「第２軸線Ｌ２が第２コア部７Ｂに対して直交している状態」における当該第２軸線Ｌ２と略平行な方向に流通する気流をいう。
【００４２】
空調機５から冷風導入路１３に至る部位には、第１導風部材１５Ａ、第２導風部材１５Ｂ及び第３導風部材１５Ｃが設けられている。第１導風部材１５Ａは、第１軸流ファン９から吹き出す空気、つまり第１気流を転向させながら当該第１気流を冷風導入路１３に案内する。
【００４３】
第２導風部材１５Ｂは、第２軸流ファン１１から吹き出す空気、つまり第２気流を転向させながら当該第２気流を冷風導入路１３に案内する。このため、空調機５から上方側に吹き出された第１気流及び第２気流は、第１導風部材１５Ａ及び第２導風部材１５Ｂにて、その流通方向が１８０度転向させられて冷風導入路１３に流入する。
【００４４】
第１導風部材１５Ａは、略１８０度転向する第１気流の外側に位置する。第２導風部材１５Ｂは、略１８０度転向する第２気流の外側に位置する。「気流の外側」とは、当該気流の流線を挟んで当該流線の曲率中心と反対側をいう。
【００４５】
このため、「気流の内側」とは、気流の流線に対して当該流線の曲率中心と同一側をいう。つまり、第１導風部材１５Ａは、略１８０度転向する第２気流の内側に位置することにより、転向中の第１気流と転向中の第２気流とを分離した状態で当該第１気流を転向させるように送風機８から冷風導入路１３に至る領域を仕切る。
【００４６】
第３導風部材１５Ｃは、略１８０度転向する第１気流の内側に位置する。そして、第３導風部材１５Ｃは、略１８０度転向する第１気流の内側において、渦の発生等に伴う損失（通風抵抗）の発生を抑制する。
【００４７】
そして、第２導風部材１５Ｂのうち第２気流の入口部側に位置する下端１５Ｄは、機械室ＭＲの床面Ｆから１５５ｃｍ以上の位置にある。つまり、第２導風部材１５Ｂの下端高さＨが１５５ｃｍ以上に設定されている。なお、本実施形態では、第２導風部材１５Ｂの下端１５Ｄは、第１導風部材１５Ａの下端１５Ｅより高い位置にある。
【００４８】
第２軸流ファン１１の吹出口近傍には、第２軸流ファン１１から吐出する第２気流を第２導風部材１５Ｂ側に転向させる転向ガイド１６が設けられている。このため、転向ガイド１６の気流案内面１６Ａは、下流側に向かうほど下端１５Ｄに近づくように第２軸線Ｌ２に対して傾斜した傾斜面にて構成されている。
【００４９】
なお、気流案内面１６Ａの下流端１６Ｂにおける仮想の接線が、第２導風部材１５Ｂの下端１５Ｄ又は当該下端１５Ｄより上方側に第２導風部材１５Ｂと交差するように、転向ガイド１６を構成することが望ましい。
【００５０】
３．本実施形態に係る空調システムの特徴
本実施形態では、天井側全体を冷風導入路１３として利用できる。このため、「壁吹出方式の空調システム」における冷却風通路の通路断面積に比べて、大きな通路断面積を確保することが可能となる。したがって、風速を大きくすることなく必要風量を確保可能となるとともに、サーバ室ＳＲ内での風速を「壁吹出方式の空調システム」に比べて小さくでき得る。
【００５１】
さらに、第２気流の入口部側に位置する下端が機械室ＭＲの床面Ｆから１５５ｃｍ以上の位置にあるので、メンテナンス作業時に作業員の頭部等が第２導風部材１５Ｂに当たってしまう等の不都合の発生を抑制できる。
【００５２】
第１導風部材１５Ａは、転向中の第１気流と転向中の第２気流とを分離した状態で当該第１気流を転向させるように熱交換器７から冷風導入路１３に至る領域を仕切る。これにより、第１気流と第２気流とが衝突する等して大きな転向時に大きな圧力損失が発生することを抑制できる。
【００５３】
第１軸流ファン９の回転中心軸線と一致する仮想線である第１軸線Ｌ１は第１コア部７Ａを貫通する。これにより、第１気流の主流方向と第１軸流ファン９により誘起された気流の主流方向とが一致するので、効率よく冷風導入路１３に冷風を送風でき得る。
【００５４】
第２軸流ファン１１の回転中心軸線と一致する仮想線である第２軸線Ｌ２は第２コア部７Ｂを貫通する。これにより、第２気流の主流方向と第２軸流ファン１１により誘起された気流の主流方向とが一致するので、効率よく冷風導入路１３に冷風を送風でき得る。
【００５５】
第２軸流ファン１１は、熱交換器７の下流側において第２導風部材１５Ｂの下端１５Ｄより熱交換器７に近い位置に配設されており、第２気流を第２導風部材１５Ｂ側に転向させる転向ガイド１６を備える。
【００５６】
これにより、第２導風部材１５Ｂが第２コア部７Ｂまで延びていなくても第２気流を第２導風部材１５Ｂの入口側まで導風でき得る。したがって、機械室ＭＲ内で大きな圧力損失が発生すること抑制しつつ、作業員の作業スペースを確保することができる。
【００５７】
（第２実施形態）
本実施形態は、図３及び図４に示すように、第１コア部７Ａと第２コア部７Ｂとがそれぞれ独立した熱交換器で構成され、かつ、少なくとも第２コア部７Ｂが鉛直面に対して傾いた空調システムである。なお、本実施形態においても、第１軸線Ｌ１は第１コア部７Ａに対して略直交し、かつ、第２軸線Ｌ２は第２コア部７Ｂに対して略直交している
第２コア部７Ｂの傾きは、第２気流の主流と転向ガイド１６との衝突角が鋭角となるような傾きである。なお、第２気流の主流とは、上述したように、「第２軸線Ｌ２が第２コア部７Ｂに対して直交している状態」における当該第２軸線Ｌ２と略平行な方向に流通する気流をいう。
【００５８】
これにより、本実施形態では、転向ガイド１６にて気流方向を転向案内する際に、大きな圧力損失が発生することを抑制できる。なお、上述の実施形態と同一の構成要件等は、上述の実施形態と同一の符号を付したので、重複する説明は省略する。
【００５９】
（その他の実施形態）
上述の実施形態では、第１送風機９と第２送風機１１とが同一の送風機であった。しかし、本願明細書に開示された発明はこれに限定されるものではない。すなわち、例えば、第１送風機９と第２送風機１１とが異なる送風機であってもよい。
【００６０】
上述の実施形態では、送風機８の上流側に熱交換器７が設置されていた。本願明細書に開示された発明はこれに限定されるものではない。すなわち、例えば、送風機８の下流側に熱交換器７が設置されていてもよい。
【００６１】
上述の実施形態では、第１導風部材１５Ａ〜第３導風部材１５Ｃを設けていた。しかし、本願明細書に開示された発明はこれに限定されるものではない。
すなわち、例えば、（ａ）第１導風部材１５Ａ〜第３導風部材１５Ｃ及び転向ガイド１６のうち少なくとも１つを廃止した構成、（ｂ）第１導風部材１５Ａを廃止し、転向ガイド１６を設けた構成、又は（ｃ）機械室ＭＲの壁を利用して第２導風部材１５Ｂに相当する部位を構成してもよい。
【００６２】
上述の実施形態では、吸入口６Ａはラック列Ｒの延び方向一端側に設けられていた。本願明細書に開示された発明はこれに限定されるものではない。すなわち、例えば、延び方向両端側又はその他の部位に設けられていてもよい。
【００６３】
上述の実施形態では、データセンターのサーバ室ＳＲに本発明を適した。しかし、本発明は、その他のサーバ室ＳＲにも適用可能である。
上述の実施形態では蒸気圧縮式冷凍機にて冷水を生成した。しかし、本願明細書に開示された発明はこれに限定されるものではない。すなわち、例えば、例えば、ターボ冷凍機や吸収式（吸着式）冷凍機等であってもよい。
【００６４】
また、本発明は、特許請求の範囲に記載された発明の趣旨に合致するものであればよく、上述の実施形態に限定されるものではない。したがって、上述した複数の実施形態のうち少なくとも２つの実施形態を組み合わせてもよい。
【符号の説明】
【００６５】
３… ラック  ５… 空調機  ６… 壁部  ６Ａ… 吸入口
７… 熱交換器  ７Ａ… 第１コア部  ７Ｂ… 第２コア部
８… 送風機  ９… 第１軸流ファン  １１… 第２軸流ファン
１３… 冷風導入路  １３Ａ… 冷風吹出口  １５Ａ… 第１導風部材
１５Ｂ… 第２導風部材  １５Ｃ… 第３導風部材  １６… 転向ガイド
【図１】
2018128154.tif 000003
【図２】
2018128154.tif 000004
【図３】
2018128154.tif 000005
【図４】
2018128154.tif 000006